(57)【要約】前駆イオン源及び該前駆イオンと反応させるための試薬イオン（２）を提供することと、該源（２）の下流に反応領域（１２）を提供することと、該源（２）と該反応領域（１２）との間にイオン移動度分離器（８）を提供することと、イオンが該イオン移動度分離器（８）を通過することなく該源（２）から該反応領域（１２）にイオンを誘導するために、該源（２）と該反応領域（１２）との間にバイパスセル（１４）を提供することと、該源（２）から、該前駆イオンがそれらのイオン移動度に従って分離するように該イオン移動度分離器（８）を通して該反応領域（１２）内に該前駆イオンを誘導することと、該源（２）から該バイパスセル（１２）を通して該反応領域（１２）内に該試薬イオンを誘導することと、を含むモードを有し、試薬イオンが前駆イオンと反応領域（１２）内で反応して生成イオンを生成する、質量分析法が開示される。
2016526169.tif 000002
【特許請求の範囲】
【請求項１】
第１のモードを有する質量分析法であって、前記方法が、
前駆イオン源及び前記前駆イオンと反応させるための試薬イオンを提供することと、
前記源の下流に反応領域を提供することと、
前記源と前記反応領域との間にイオン移動度分離器を提供することと、
前記イオンが前記イオン移動度分離器を通過することなく前記源から前記反応領域にイオンを誘導するために、前記源と前記反応領域との間にバイパスセルを提供することと、
前記源から、前記前駆イオンがそのイオン移動度に従って分離するように前記イオン移動度分離器を通して、前記反応領域内に前記前駆イオンを誘導することと、
前記源から前記バイパスセルを通して前記反応領域内に前記試薬イオンを誘導することと、を含み、
前記試薬イオンが、前記前駆イオンと前記反応領域内で反応して、生成イオンを生成する、前記方法。
【請求項２】
前記試薬イオンが、前記前駆イオンと前記反応領域内で反応して、前記前駆イオンの電子移動解離を引き起こし、前記生成イオンが、前記前駆イオンの断片イオンを含むか、または前記試薬イオンが、前記前駆イオンと前記反応領域内で反応して、陽子移動反応、前記前駆イオンの電荷反転、シッフ塩基反応、または陰イオン電子移動解離反応を引き起こす、請求項１に記載の前記方法。
【請求項３】
前記前駆イオンが、それらが前記イオン移動度分離器を通過するときに第１の圧力でガスを通して誘導され、前記試薬イオンが、それらが前記バイパスセルを通過するときに第２のより低い圧力でガスを通して誘導される、請求項１または２に記載の前記方法。
【請求項４】
前記試薬イオン及び前駆イオンが、同じイオンガイドを通して誘導され、その後、前記前駆イオンが、前記イオン移動度分離器を通して方向付けられ、その後、前記試薬イオンが、前記バイパスセルを通して方向付けられる、請求項１、２、または３に記載の前記方法。
【請求項５】
前記試薬イオン及び前駆イオンが、同じイオンガイドを通る軸に沿って誘導され、前記試薬イオンが下流に伝達されて前記バイパスセルに入り、かつ前記前駆イオンが下流に伝達されて前記イオン移動度分離器に入るように、前記試薬イオン及び／または前駆イオンが前記イオンガイド内または前記イオンガイドの出口に存在する間、電界がそれらに印加される、請求項１〜４に記載の前記方法。
【請求項６】
前記試薬イオンを前記軸から前記バイパスセル内に方向転換するように、前記試薬イオンが前記イオンガイド内または前記イオンガイドの出口に存在する間、前記電界がそれらに印加される、請求項５に記載の前記方法。
【請求項７】
前記試薬イオン及び前駆イオンを前記イオンガイドに空間的に分離された様式で提供すること、または前記電界の前記印加の前に、前記イオンガイド内の前記試薬イオン及び前駆イオンを空間的に分離すること、を含む、請求項５または６に記載の前記方法。
【請求項８】
質量フィルタが、前記イオンガイドと前記前駆イオン源及び試薬イオンとの間に配置され、前記前駆イオン及び試薬イオンが、それらが前記イオンガイド内に受け取られたときに空間的に分離するように、前記質量フィルタが、第１の期間中に前記前駆イオンのみを選択的に伝達し、第２の期間中に前記試薬イオンのみを選択的に伝達する、請求項７に記載の前記方法。
【請求項９】
前記試薬イオンが、前記前駆イオンと前記試薬イオンとの間に配置される１つ以上のポテンシャル井戸またはポテンシャル障壁によって、前記イオンガイド内に前記前駆イオンから空間的に分離されて維持される、請求項７または８に記載の前記方法。
【請求項１０】
前記試薬イオンを前記バイパスセル内に方向転換するように前記前駆イオンから空間的に分離された前記試薬イオンに電界を印加すること、及び／または前記前駆イオンを前記イオン移動度分離器に方向転換するように前記試薬イオンから空間的に分離された前記前駆イオンに電界を印加すること、を含む、請求項７、８、または９に記載の前記方法。
【請求項１１】
２つ以上のポテンシャル障壁または井戸が、前記反応領域に沿って運搬され、前駆イオンが、前記イオン移動度分離器から前記反応領域内にイオンパケットとして注入され、前駆イオンの第１のパケットが前記反応領域内で試薬イオンと反応し、その生成イオンが、前記ポテンシャル障壁または井戸のうちの第１のポテンシャル障壁または井戸によって前記反応領域に沿って運搬され、前記反応領域内に注入される前駆イオンの第２のパケットが前記反応領域内で試薬イオンと反応し、その生成イオンが、前記ポテンシャル障壁または井戸のうちの第２の後続のポテンシャル障壁または井戸によって前記反応領域に沿って運搬されるように、前記２つ以上のポテンシャル障壁または井戸の動きが、前記前駆イオンの前記パケットの前記注入と同期される、請求項１〜１０に記載の前記方法。
【請求項１２】
前駆イオンが前記イオン移動度分離器ではなく前記バイパスセルを通して誘導され、その後、前記試薬イオンと反応することなく質量分析器内で質量分析される、第２の動作モードを実施することを更に含む、請求項１〜１１に記載の前記方法。
【請求項１３】
前記第２のモードで、前記質量分析器が、対象とする前駆イオンが前記前駆イオン源によって生成されていることを決定し、それに応答して、前記対象とする前駆イオンが前記イオン移動度分離器に誘導され、その後、前記反応領域内で試薬イオンと反応して前記生成イオンを形成するように、前記方法を制御して前記第１の動作モードを実施する、請求項１２に記載の前記方法。
【請求項１４】
前記生成イオンが質量分析され、任意に前記生成及び前駆イオンが前記質量分析器によって検出されるタイミングに基づいて、これらの生成イオンが、前記第２のモードで検出されるその前駆イオンと相互に関連付けられる、請求項１３に記載の前記方法。
【請求項１５】
質量分析計であって、
前駆イオン源及び前記前駆イオンと反応させるための試薬イオンと、
前記源の下流の反応領域と、
前記源と前記反応領域との間に配置されたイオン移動度分離器と、
前記イオン移動度分離器を通過させることなく、前記源から前記反応領域にイオンを誘導するために、前記源と前記反応領域との間に配置されたバイパスセルと、を備え、
前記質量分析計が、前記源から前記イオン移動度分離器を通して前記反応領域内に前記前駆イオンを誘導し、かつ前記試薬イオンを前記反応領域内の前記前駆イオンと反応させて生成イオンを生成するために、前記源から前記バイパスセルを通して前記反応領域内に前記試薬イオンを誘導するように配置かつ構成される、前記質量分析計。
【請求項１６】
前記分析計が、請求項１〜１４のいずれか一項に記載の前記方法を実施するように制御手段で配置かつ構成される、請求項１５に記載の前記質量分析計。
【発明の詳細な説明】
【技術分野】
【０００１】
関連出願の相互参照
本出願は、２０１３年６月７日に出願された英国特許出願第１３１０１３３．２号及び２０１３年６月７日に出願された欧州特許出願第１３１７０９９７．４号の優先権及び利益を主張するものである。これらの出願の全内容は、参照により本明細書に組み込まれる。
【背景技術】
【０００２】
イオンを試薬イオンと反応させることによって前駆分析物イオンを解離させることが既知である。例えば、前駆イオンの電子移動解離（ＥＴＤ）を誘起するように試薬イオンを前駆分析物イオンと反応させることが既知である。
【０００３】
英国特許第２４４１１９８号（特許文献１）は、複数のイオン貯蔵バンクを備える質量分析計を開示する。そこに開示される１つの配置によれば、イオン源からの分析物イオンは、イオン貯蔵バンクの別のイオン源からのＥＴＤ試薬イオンと反応する。
【先行技術文献】
【特許文献】
【０００４】
【特許文献１】英国特許第２４４１１９８号
【発明の概要】
【発明が解決しようとする課題】
【０００５】
改善された質量分析法及び改善された質量分析計を提供することが所望される。
【課題を解決するための手段】
【０００６】
本発明は、第１のモードで、
前駆イオン源及び該前駆イオンと反応させるための試薬イオンを提供することと、
該源の下流に反応領域を提供することと、
該源と該反応領域との間にイオン移動度分離器を提供することと、
該イオン移動度分離器を通過させることなく該源から該反応領域にイオンを誘導するために、該源と該反応領域との間にバイパスセルを提供することと、
該源から、該前駆イオンがそのイオン移動度に従って分離するように該イオン移動度分離器を通して、該反応領域内に該前駆イオンを誘導することと、
該源から該バイパスセルを通して該反応領域内に該試薬イオンを誘導することと、を含み、
試薬イオンが、前駆イオンと反応領域内で反応して生成イオンを生成する、質量分析法を提供する。
【０００７】
発明者らは、本発明が、イオン移動度分離器の比較的高圧の領域内を通過させることなくイオン源から反応領域に試薬を移動可能にすると認識している。これは、イオンが高圧イオン移動度分離器に入った場合にさもなければ生じ得る断片化を行うことなく、比較的不安定な試薬イオンを反応領域に直接伝達することを可能にする。また、イオン反応がイオン移動度分離器の下流の反応領域で起こるため、イオンを質量分析器検出器に移動させる必要があり得るポテンシャル障壁は、イオンのイオン移動度分離を維持しつつ、イオン反応条件に影響するように異なってもよく、かつ最適化されてもよい。更には、イオン−イオン反応は、イオン移動度分離の時間規模によっては制限されず、別個に最適化することができる。
【０００８】
上記の本発明の背景技術の章に説明されるように、試薬イオンを前駆イオンと反応させることは、既知である。例えば、英国特許第２４４１１９８号は、１つのイオン源からの分析物イオンが、イオン貯蔵バンクの別のイオン源からの試薬イオンと反応する方法を開示する。しかしながら、英国特許第２４４１１９８号は、分析物イオンを試薬イオンと反応させる前に、イオン移動度分離器（ＩＭＳ）を通して分析物イオンを通過させることは開示していない。それゆえ、デバイスは、分析物イオンを反応させることができず、前駆分析物イオンのイオン移動度の関数として得られる生成イオンを分析することができない。英国特許第２４４１１９８号は、ＩＭＳデバイスを提供することを開示していないため、試薬イオンにかかるＩＭＳデバイスを迂回させるためのバイパスセルを提供することも開示していない。本発明は特許請求の範囲に記載されるバイパスセルを提供するが、このバイパスセルは、試薬イオンがこのイオン経路の下流に配置されるＩＭＳデバイスを通過することなく、前駆分析物イオン及び試薬イオンの両方を同じイオン経路に沿ってＩＭＳデバイスに向かって移動可能にする。それゆえ、同じイオンガイドを使用して、分析計の一部を通してそれに向かって前駆分析物イオン及び試薬イオンを誘導させることができる。
【０００９】
好ましくは、試薬イオンは、反応領域内で該前駆イオンと反応して前駆イオンの電子移動解離（ＥＴＤ）を引き起こし、生成イオンは、前駆イオンの断片イオンを含む。あるいは、試薬イオンは、反応領域内で前駆イオンと反応して他の型の反応を引き起こすことができる。例えば、試薬イオンは、反応領域内で前駆イオンと反応して、陽子移動反応、該前駆イオンの電荷反転、シッフ塩基反応、または陰イオンＥＴＤ反応を引き起こすことができる。付加イオンを形成する反応などの他の型の反応もまた企図される。
【００１０】
前駆イオンは、好ましくは、それらがイオン移動度分離器を通過するときに高圧ガスを通して誘導され、試薬イオンは、好ましくは、それらがバイパスセルを通過するときに低圧ガスを通して誘導される。
【００１１】
本発明によれば、試薬イオン及び前駆イオンは、好ましくは、同じイオンガイドを通して誘導され、その後前駆イオンは、該イオン移動度分離器を通して方向付けられるが、ここで、該試薬イオンは、該バイパスセルを通して該反応領域内に方向付けられる。
【００１２】
好ましくは、試薬イオン及び前駆イオンは、同じイオンガイドを通る軸に沿って誘導され、試薬イオンが、下流に伝達されて該バイパスセルに入り、かつ該前駆イオンが、下流に伝達されて該イオン移動度分離器に入るように、該試薬イオン及び／または前駆イオンが該イオンガイド内または該イオンガイドの出口に存在する間、電界がそれらに印加される。
【００１３】
試薬イオン及び前駆イオンは、好ましくは、同じイオンガイドを通る軸に沿って誘導され、試薬イオンを該軸からバイパスセル内に方向転換するように、試薬イオンがイオンガイド内または該イオンガイドの出口に存在する間、電界がそれらに印加されてもよい。
【００１４】
この軸は、該イオンガイドを出る前駆イオンがイオン移動度分離器内に直接入るように、イオン移動度分離器を通る長手方向の軸と実質的に同軸であってもよい。あるいは、試薬イオン及び前駆イオンは、同じイオンガイドを通る軸に沿って誘導されてもよく、前駆イオンを該軸からイオン移動度分離器内に方向転換するように、前駆イオンが該イオンガイド内または該イオンガイドの出口に存在する間、電界がそれらに印加されてもよい。それゆえ、前駆イオンも試薬イオンもいずれも、軸から方向転換することができると考えられる。あるいは、前駆イオンのみを、軸から方向転換することができ、方向転換されていない試薬イオンは、該軸上に入口を有するように配置されているバイパスセル内に入ることができる。あるいは、試薬イオンのみを、軸から方向転換することができ、方向転換されていない前駆イオンは、該軸上に入口を有するように配置されているイオン移動度分離器内に入ることができる。
【００１５】
好ましくは、本方法は、試薬イオン及び前駆イオンをイオンガイドに空間的に分離された様式で提供すること、またはイオンガイド内の試薬イオン及び前駆イオンを空間的に分離すること、を含む。質量フィルタは、イオンガイドと前駆イオン源及び試薬イオンとの間に配置されてもよく、前駆イオン及び試薬イオンが、それらがイオンガイド内に受け取られたときに空間的に分離するように、質量フィルタは、第１の期間中に前駆イオンのみを選択的に伝達し、第２の期間中に試薬イオンのみを選択的に伝達することができる。質量フィルタリングは、試薬イオン以外の試薬イオン源からのイオンを濾過して取り除くことができる。これは、このような他のイオンが、ＥＴＤ反応などの所望の反応を引き起こすよりも電荷脱離を引き起こし得るため、有利なことである。質量フィルタは、前駆イオン及び試薬イオンがイオンガイドで交互に受け取られるように、複数回、該第１と第２の期間との間にこのサイクルを繰り返すことができる。質量フィルタは、好ましくは、ＲＦ及びＤＣ電圧が選択的に所望のイオンを伝達しかつ他のイオンを排除するように印加され得る四重極ロッドセットなどの多極ロッドセットである。イオンガイドに加えて質量フィルタを提供する代わりに、上述の質量フィルタが該イオンガイドである、代替的な配置が企図される。
【００１６】
試薬イオンは、好ましくは、試薬イオンが、前駆イオンと試薬イオンとの間に配置される１つ以上のポテンシャル井戸またはポテンシャル障壁によって、イオンガイド内に前駆イオンから空間的に分離されて維持される。１つ以上のポテンシャル井戸または障壁は、イオンガイドの入口からイオンガイドの出口に向かって該試薬イオン及び前駆イオンを移動させるように、イオンガイドに沿って運搬されてもよい。
【００１７】
本方法は、好ましくは、試薬イオンをバイパスセル内に方向転換するように前駆イオンから空間的に分離された試薬イオンに電界を印加すること、及び／または前駆イオンをイオン移動度分離器に方向転換するように試薬イオンから空間的に分離された前駆イオンに電界を印加すること、を含む。
【００１８】
１つ以上のポテンシャル障壁またはポテンシャル井戸は、イオン移動度分離器を通して前駆イオンを運ぶようにイオン移動度分離器の軸長に沿って運搬されてもよい。
【００１９】
イオンは、それらのイオン移動度に従って別個のイオン移動度分離器を出て、対象とするイオン移動度を有する前駆イオンは、選択的に、反応領域内に導入され、反応領域内で試薬イオンと反応することができる。他の前駆イオンは、反応領域に伝達され得ないかまたは反応領域内で試薬イオンと反応し得ない。
【００２０】
１つ以上のポテンシャル障壁またはポテンシャル井戸は、バイパスセルを通して反応領域内に試薬イオンを運ぶようにバイパスセルの軸長に沿って運搬されてもよい。１つ以上のポテンシャル障壁またはポテンシャル井戸は、パケットの反応領域内に試薬イオンを注入することができ、該パケットの注入を、イオン移動度分離器から対象とする前駆イオンの反応領域内への注入と同期させることができる。あるいは、試薬イオンについては、周期的に反応領域に入るように別の方法でゲート制御することも可能である。
【００２１】
１つ以上のポテンシャル障壁またはポテンシャル井戸は、イオン移動度分離器を通して前駆イオンを反応領域内に運ぶようにイオン移動度分離器の軸長に沿って運搬されてもよい。１つ以上のポテンシャル障壁またはポテンシャル井戸は、パケットの反応領域内に前駆イオンを注入することができ、前駆イオンのパケットの注入を、試薬イオンの反応領域内への注入と同期させることができる。
【００２２】
前駆イオン及び試薬イオンは、反応領域内で反応して生成イオンを形成し、１つ以上のポテンシャル障壁またはポテンシャル井戸は、反応領域の出口に向かって生成イオンを運ぶように反応領域の軸長に沿って運搬されてもよい。反応領域を通る１つ以上のポテンシャル障壁または井戸の動きは、前駆イオンの第１のパケットが反応領域内で試薬イオンと反応し、その生成イオンが、反応領域の１つ以上の該ポテンシャル障壁または井戸ののうちの第１のポテンシャル障壁または井戸によって反応領域に沿って運搬され、該前駆イオンの第１のパケットが反応領域内で試薬イオンと反応した後に反応領域内に注入される前駆イオンの第２のパケット及びその生成イオンが、反応領域の１つ以上のポテンシャル障壁または井戸のうちの第２の後続のポテンシャル障壁または井戸によって反応領域に沿って運搬されるように、イオン移動度分離器からの前駆イオンのパケットの注入と（及び任意にバイパスセルからの試薬イオンパケットの注入と）同期され得る。
【００２３】
質量分析器は、反応領域から解放されるイオンを質量分析するために、反応領域の下流に提供される。質量分析器は、好ましくは、飛行時間質量分析器、より好ましくは直交加速飛行時間質量分析器である。反応領域から解放される生成イオンは、パケット内で解放することができ、これらのパケットの解放は、反応領域から解放されるイオンの各パケットが加速電極によって質量分析器の飛行領域時間中にパルス化されるように、飛行時間質量分析器の加速電極のパルス化と同期され得る。生成イオンは、反応領域に沿って運搬される１つ以上のポテンシャル障壁または井戸のため、パケットの反応領域から解放され得る。
【００２４】
本方法は、イオン移動度分離器及びバイパスセルの下流に複数の異なる反応領域を提供することを更に含み得、ここで、試薬イオンは、バイパスセルから反応領域に供給され、イオン移動度分離器を出る異なるイオン移動度の前駆イオンは、前駆イオンと反応して生成イオンを生成するように、反応領域のうちの異なる反応領域内に方向付けられる。これは、いくつかの種が平行して別個に反応できることを考えると、感度の点で有利である。
【００２５】
該前駆イオン源及び試薬イオンは、前駆イオン源及び別個の試薬イオン源を含むことができる。
【００２６】
該イオン源（複数可）は、該イオンを生成することができるか、またはイオントラップもしくはどこかで生成されたイオンを解放する他の源であってもよい。
【００２７】
前駆イオン自体は、イオンを反応させるか、または例えばＣＩＤ、ＥＴＤ、ＥＣＤ、ＳＩＤ、光断片化によってイオンを断片化することによって形成された生成または断片イオンであり得る。
【００２８】
本方法は、前駆イオンがイオン移動度分離器ではなくバイパスセルを通して誘導され、その後、試薬イオンと反応することなく質量分析器内で質量分析される、第２の動作モードを実施することを含んでもよい。質量分析器は、対象とする前駆イオンが前駆イオン源によって生成されていることを決定し得、それに応答して、本方法が、対象とする前駆イオンがイオン移動度分離器に誘導され、（任意に）その後、反応領域内で試薬イオンと反応して該生成イオンを形成するように制御されて、第１の動作モードを実施することができる。その後、生成イオンは、質量分析されてもよい。その後、対象とする前駆イオンから生成された生成イオンは、その前駆イオンと相互に関連付けられ得る。例えば、生成イオンは、生成及び前駆イオンが質量分析器によって検出されるタイミングで、その前駆イオンと相互に関連付けられ得る。
【００２９】
また、本発明は、
前駆イオン源及び該前駆イオンと反応させるための試薬イオンと、
該源の下流の反応領域と、
該源と該反応領域との間に配置されたイオン移動度分離器と、
該イオン移動度分離器を通過させることなく、該源から該反応領域にイオンを誘導するために、該源と該反応領域との間に配置されたバイパスセルと、を備え、
質量分析計が、該源から該イオン移動度分離器を通して該反応領域内に該前駆イオンを誘導し、かつ試薬イオンを反応領域内の前駆イオンと反応させて生成イオンを生成するために、該源からバイパスセルを通して該反応領域内に該試薬イオンを誘導するように配置かつ構成される、質量分析計を提供する。
【００３０】
質量分析計は、本明細書に記載の方法のいずれか１つまたは任意の組み合わせを実行するように配置かつ構成され得る。
【００３１】
質量分析計は、
（ａ）（ｉ）エレクトロスプレーイオン化（「ＥＳＩ」）イオン源、（ｉｉ）大気圧光イオン化（「ＡＰＰＩ」）イオン源、（ｉｉｉ）大気圧化学イオン化（「ＡＰＣＩ」）イオン源、（ｉｖ）マトリックス支援レーザ脱離イオン化（「ＭＡＬＤＩ」）イオン源、（ｖ）レーザ脱離イオン化（「ＬＤＩ」）イオン源、（ｖｉ）大気圧イオン化（「ＡＰＩ」）イオン源、（ｖｉｉ）シリコン上の脱離イオン化（「ＤＩＯＳ」）イオン源、（ｖｉｉｉ）電子衝撃（「ＥＩ」）イオン源、（ｉｘ）化学イオン化（「ＣＩ」）イオン源、（ｘ）フィールドイオン化（「ＦＩ」）イオン源、（ｘｉ）フィールド脱離（「ＦＤ」）イオン源、（ｘｉｉ）誘導結合プラズマ（「ＩＣＰ」）イオン源、（ｘｉｉｉ）高速原子衝撃（「ＦＡＢ」）イオン源、（ｘｉｖ）液体二次イオン質量分析（「ＬＳＩＭＳ」）イオン源、（ｘｖ）脱離エレクトロスプレーイオン化（「ＤＥＳＩ」）イオン源、（ｘｖｉ）ニッケル６３放射性イオン源、（ｘｖｉｉ）大気圧マトリックス支援レーザ脱離イオン化イオン源、（ｘｖｉｉｉ）サーモスプレーイオン源、（ｘｉｘ）大気サンプリンググロー放電イオン化（「ＡＳＧＤＩ」）イオン源、（ｘｘ）グロー放電（「ＧＤ」）イオン源、（ｘｘｉ）インパクタイオン源、（ｘｘｉｉ）リアルタイムにおける直接分析（「ＤＡＲＴ」）イオン源、（ｘｘｉｉｉ）レーザスプレイイオン化（「ＬＳＩ」）イオン源、（ｘｘｉｖ）ソニックスプレイイオン化（「ＳＳＩ」）イオン源、（ｘｘｖ）マトリックス支援インレットイオン化（「ＭＡＩＩ」）イオン源、（ｘｘｖｉ）溶媒支援インレットイオン化（「ＳＡＩＩ」）イオン源、（ｘｘｖｉｉ）脱離エレクトロスプレーイオン化（「ＤＥＳＩ」）イオン源、及び（ｘｘｖｉｉｉ）レーザアブレーションエレクトロスプレーイオン化（「ＬＡＥＳＩ」）イオン源から成る群から選択されたイオン源、ならびに／あるいは
（ｂ）１つ以上の連続またはパルスイオン源、ならびに／あるいは
（ｃ）１つ以上のイオンガイド、ならびに／あるいは
（ｄ）１つ以上のイオン移動度分離デバイス及び／または１つ以上のフィールド非対称イオン移動度分析計デバイス、ならびに／あるいは
（ｅ）１つ以上のイオントラップまたは１つ以上のイオン捕捉領域、ならびに／あるいは
（ｆ）（ｉ）衝突誘起解離（「ＣＩＤ」）断片化デバイス、（ｉｉ）表面誘起解離（「ＳＩＤ」）断片化デバイス、（ｉｉｉ）電子移動解離（「ＥＴＤ」）断片化デバイス、（ｉｖ）電子捕獲解離（「ＥＣＤ」）断片化デバイス、（ｖ）電子衝突または衝撃解離断片化デバイス、（ｖｉ）光誘起解離（「ＰＩＤ」）断片化デバイス、（ｖｉｉ）レーザ誘起解離断片化デバイス、（ｖｉｉｉ）赤外線放射誘起解離デバイス、（ｉｘ）紫外線放射誘起解離デバイス、（ｘ）ノズル−スキマーインターフェース断片化デバイス、（ｘｉ）インソース断片化デバイス、（ｘｉｉ）インソース衝突誘起解離断片化デバイス、（ｘｉｉｉ）熱または温度源断片化デバイス、（ｘｉｖ）電界誘起断片化デバイス、（ｘｖ）磁界誘起断片化デバイス、（ｘｖｉ）酵素消化または酵素分解断片化デバイス、（ｘｖｉｉ）イオン−イオン反応断片化デバイス、（ｘｖｉｉｉ）イオン−分子反応断片化デバイス、（ｘｉｘ）イオン−原子反応断片化デバイス、（ｘｘ）イオン−準安定イオン反応断片化デバイス、（ｘｘｉ）イオン−準安定分子反応断片化デバイス、（ｘｘｉｉ）イオン−準安定原子反応断片化デバイス、（ｘｘｉｉｉ）イオンを反応させて付加または生成イオンを形成するためのイオン−イオン反応デバイス、（ｘｘｉｖ）イオンを反応させて付加または生成イオンを形成するためのイオン−分子反応デバイス、（ｘｘｖ）イオンを反応させて付加または生成イオンを形成するためのイオン−原子反応デバイス、（ｘｘｖｉ）イオンを反応させて付加または生成イオンを形成するためのイオン−準安定イオン反応デバイス、（ｘｘｖｉｉ）イオンを反応させて付加または生成イオンを形成するためのイオン−準安定分子反応デバイス、（ｘｘｖｉｉｉ）イオンを反応させて付加または生成イオンを形成するためのイオン−準安定原子反応デバイス、及び（ｘｘｉｘ）電子イオン化解離（「ＥＩＤ」）断片化デバイスから成る群から選択された１つ以上の衝突、断片化、または反応セル、ならびに／あるいは
（ｇ）（ｉ）四重極質量分析器、（ｉｉ）２Ｄまたは線形四重極質量分析器、（ｉｉｉ）ポールまたは３Ｄ四重極質量分析器、（ｉｖ）ペニングトラップ質量分析器、（ｖ）イオントラップ質量分析器、（ｖｉ）磁場型質量分析器、（ｖｉｉ）イオンサイクロトロン共鳴（「ＩＣＲ」）質量分析器、（ｖｉｉｉ）フーリエ変換イオンサイクロトロン共鳴（「ＦＴＩＣＲ」）質量分析器、（ｉｘ）４次対数的ポテンシャル分布を有する静電場を生成するように配置された静電質量分析器、（ｘ）フーリエ変換静電質量分析器、（ｘｉ）フーリエ変換質量分析器、（ｘｉｉ）飛行時間質量分析器、（ｘｉｉｉ）直交加速飛行時間質量分析器、及び（ｘｉｖ）線形加速飛行時間質量分析器から成る群から選択された質量分析器、ならびに／あるいは
（ｈ）１つ以上のエネルギー分析器または静電エネルギー分析器、ならびに／あるいは
（ｉ）１つ以上のイオン検出器、ならびに／あるいは
（ｊ）（ｉ）四重極質量フィルタ、（ｉｉ）２Ｄまたは線形四重極イオントラップ、（ｉｉｉ）ポールまたは３Ｄ四重極イオントラップ、（ｉｖ）ペニングイオントラップ、（ｖ）イオントラップ、（ｖｉ）磁場型質量フィルタ、（ｖｉｉ）飛行時間質量フィルタ、及び（ｖｉｉｉ）ウィーンフィルタから成る群から選択された１つ以上の質量フィルタ、ならびに／あるいは
（ｋ）イオンをパルス化するためのデバイスまたはイオンゲート、ならびに／あるいは
（ｌ）実質的に連続のイオンビームをパルス状イオンビームに変換するためのデバイスを備えてもよい。
【００３２】
質量分析計は、誘導検出と、時間領域信号を質量対電荷比領域信号もしくはスペクトルに変換する時間領域信号処理と、を利用する静電イオントラップまたは質量分析器を備えてもよい。該信号処理は、限定されるものではないが、フーリエ変換、確率的分析、フィルタ対角化、フォワードフィッティングまたは最小二乗フィッティングを含み得る。
【００３３】
質量分析計は、
（ｉ）４次対数的ポテンシャル分布を有する静電場を形成する外部バレル状電極と同軸内部スピンドル状電極を備えるＣトラップ及び質量分析器であって、第１の動作モードでは、イオンがＣトラップに伝達され、次いで、質量分析器の中に注入され、第２の動作モードでは、イオンがＣトラップに、次いで、衝突セルまたは電子移動解離デバイスに伝達され、少なくともいくつかのイオンが、断片イオンに断片化され、次いで、断片イオンが、質量分析器に注入される前にＣトラップに伝達される、Ｃトラップ及び質量分析器、ならびに／あるいは
（ｉｉ）イオンが使用中に開口を通して伝達されるその開口をそれぞれ有する複数の電極を備える積み重ねリングイオンガイドであって、電極の間隔が、イオン経路の長さに沿って増加し、イオンガイドの上流区分にある電極における開口が、第１の直径を有し、イオンガイドの下流区分にある電極における開口が、第１の直径よりも小さな第２の直径を有し、ＡＣまたはＲＦ電圧の逆位相が、後に続く電極に使用中に印加される、積み重ねリングイオンガイドのいずれかであり得る。
【００３４】
質量分析計は、ＡＣまたはＲＦ電圧を電極に供給するように配置され適合されるデバイスを備えてもよい。ＡＣまたはＲＦ電圧は、好ましくは、（ｉ）５０Ｖ未満のピークツーピーク値、（ｉｉ）５０〜１００Ｖのピークツーピーク値、（ｉｉｉ）１００〜１５０Ｖのピークツーピーク値、（ｉｖ）１５０〜２００Ｖのピークツーピーク値、（ｖ）２００〜２５０Ｖのピークツーピーク値、（ｖｉ）２５０〜３００Ｖのピークツーピーク値、（ｖｉｉ）３００〜３５０Ｖのピークツーピーク値、（ｖｉｉｉ）３５０〜４００Ｖのピークツーピーク値、（ｉｘ）４００〜４５０Ｖのピークツーピーク値、（ｘ）４５０〜５００のピークツーピーク値、及び（ｘｉ）５００Ｖを超えるピークツーピーク値から成る群から選択された振幅を有する。
【００３５】
ＡＣまたはＲＦ電圧は、好ましくは、（ｉ）１００ｋＨｚ未満、（ｉｉ）１００〜２００ｋＨｚ、（ｉｉｉ）２００〜３００ｋＨｚ、（ｉｖ）３００〜４００ｋＨｚ、（ｖ）４００〜５００ｋＨｚ、（ｖｉ）０．５〜１．０ＭＨｚ、（ｖｉｉ）１．０〜１．５ＭＨｚ、（ｖｉｉｉ）１．５〜２．０ＭＨｚ、（ｉｘ）２．０〜２．５ＭＨｚ、（ｘ）２．５〜３．０ＭＨｚ、（ｘｉ）３．０〜３．５ＭＨｚ、（ｘｉｉ）３．５〜４．０ＭＨｚ、（ｘｉｉｉ）４．０〜４．５ＭＨｚ、（ｘｉｖ）４．５〜５．０ＭＨｚ、（ｘｖ）５．０〜５．５ＭＨｚ、（ｘｖｉ）５．５〜６．０ＭＨｚ、（ｘｖｉｉ）６．０〜６．５ＭＨｚ、（ｘｖｉｉｉ）６．５〜７．０ＭＨｚ、（ｘｉｘ）７．０〜７．５ＭＨｚ、（ｘｘ）７．５〜８．０ＭＨｚ、（ｘｘｉ）８．０〜８．５ＭＨｚ、（ｘｘｉｉ）８．５〜９．０ＭＨｚ、（ｘｘｉｉｉ）９．０〜９．５ＭＨｚ、（ｘｘｉｖ）９．５〜１０．０ＭＨｚ、及び（ｘｘｖ）１０．０ＭＨｚを超えるものから成る群から選択された周波数を有する。
【００３６】
質量分析計は、イオン源の上流にクロマトグラフィーまたは他の分離デバイスを備えてもよい。ある実施形態によれば、クロマトグラフィー分離デバイスは、液体クロマトグラフィーまたはガスクロマトグラフィーデバイスを備える。別の実施形態によれば、分離デバイスは、（ｉ）キャピラリー電気泳動（「ＣＥ」）分離デバイス、（ｉｉ）キャピラリー電気クロマトグラフィー（「ＣＥＣ」）分離デバイス、（ｉｉｉ）実質的に剛性のセラミックをベースとする多層マイクロ流体基板（「セラミックタイル」）分離デバイス、または（ｉｖ）超臨界流体クロマトグラフィー分離デバイスを備えてもよい。
【００３７】
イオンガイドは、（ｉ）０．０００１ｍｂａｒ未満、（ｉｉ）０．０００１〜０．００１ｍｂａｒ、（ｉｉｉ）０．００１〜０．０１ｍｂａｒ、（ｉｖ）０．０１〜０．１ｍｂａｒ、（ｖ）０．１〜１ｍｂａｒ、（ｖｉ）１〜１０ｍｂａｒ、（ｖｉｉ）１０〜１００ｍｂａｒ、（ｖｉｉｉ）１００〜１０００ｍｂａｒ、及び（ｉｘ）１０００ｍｂａｒを超えるものから成る群から選択された圧力に維持され得る。
【００３８】
ある実施形態によれば、分析物イオンは、電子移動解離断片化デバイスにおいて電子移動解離（「ＥＴＤ」）断片化に供され得る。分析物イオンは、好ましくは、イオンガイドまたは断片化デバイス内でＥＴＤ試薬イオンと相互作用させられる。
【００３９】
ある実施形態によれば、電子移動解離をもたらすために、（ａ）分析物イオンが、試薬イオンと相互作用すると、生成または断片イオンを解離して形成するように断片化または誘起される、かつ／あるいは（ｂ）多荷電分析物陽イオンまたは正の電荷を持つイオンのうちの少なくともいくつかが生成または断片イオンを解離して形成するように誘起されると、電子が、１つ以上の試薬陰イオンまたは負の電荷を持つイオンから１つ以上の多荷電分析物陽イオンまたは正の電荷を持つイオンに伝達される、かつ／あるいは（ｃ）分析物イオンが中性試薬ガス分子もしくは原子または非イオン性試薬ガスと相互作用すると、生成または断片イオンを解離して形成するように断片化または誘起される、かつ／あるいは（ｄ）多荷電分析物陽イオンまたは正の電荷を持つイオンのうちの少なくともいくつかが生成または断片イオンを解離して形成するように誘起されると、電子が、１つ以上の中性、非イオン性、もしくは非荷電性塩基性ガスまたは蒸気から１つ以上の多荷電分析物陽イオンまたは正の電荷を持つイオンに伝達される、かつ／あるいは（ｅ）多電荷分析物陽イオンまたは正の電荷を持つイオンのうちの少なくともいくつかが生成または断片イオンを解離して形成するように誘起されると、電子が、１つ以上の中性、非イオン性、もしくは非荷電性超塩基試薬ガスまたは蒸気から１つ以上の多荷電分析物陽イオンまたは正の電荷を持つイオンに伝達される、かつ／あるいは（ｆ）多荷電分析物陽イオンまたは正の電荷を持つイオンのうちの少なくともいくつかが生成または断片イオンを解離して形成するように誘起されると、電子が、１つ以上の中性、非イオン性、もしくは非荷電性アルカリ金属ガスまたは蒸気から１つ以上の多荷電分析物陽イオンまたは正の電荷を持つイオンに伝達される、かつ／あるいは（ｇ）多荷電分析物陽イオンまたは正の電荷を持つイオンのうちの少なくともいくつかが生成または断片イオンを解離して形成するように誘起されると、電子が、１つ以上の中性、非イオン性、もしくは非荷電性ガス、蒸気、または原子から１つ以上の多荷電分析物陽イオンまたは正の電荷を持つイオンに伝達される、のいずれかが行われ、１つ以上の中性、非イオン性、もしくは非荷電性ガス、蒸気、または原子が、（ｉ）ナトリウム蒸気または原子、（ｉｉ）リチウム蒸気または原子、（ｉｉｉ）カリウム蒸気または原子、（ｉｖ）ルビジウム蒸気または原子、（ｖ）セシウム蒸気または原子、（ｖｉ）フランシウム蒸気または原子、（ｖｉｉ）Ｃ６０蒸気または原子、及び（ｖｉｉｉ）マグネシウム蒸気または原子から成る群から選択される。
【００４０】
多荷電分析物陽イオンもしくは正の電荷を持つイオンは、好ましくは、ペプチド、ポリペプチド、タンパク質または生体分子を含む。
【００４１】
電子移動解離をもたらすために、任意に、（ａ）試薬陰イオンもしくは負の電荷を持つイオンが、ポリ芳香族炭化水素または置換ポリ芳香族炭化水素に由来し、及び／または（ｂ）試薬陰イオンもしくは負の電荷を持つイオンが、（ｉ）アントラセン、（ｉｉ）９，１０ジフェニル−アントラセン、（ｉｉｉ）ナフタレン、（ｉｖ）フッ素、（ｖ）フェナントレン、（ｖｉ）ピレン、（ｖｉｉ）フルオランテン、（ｖｉｉｉ）クリセン、（ｉｘ）トリフェニレン、（ｘ）ペリレン、（ｘｉ）アクリジン、（ｘｉｉ）２，２’ジピリジル、（ｘｉｉｉ）２，２’ビキノリン、（ｘｉｖ）９−アントラセンカルボニトリル、（ｘｖ）ジベンゾチオフェン、（ｘｖｉ）１，１０’−フェナントロリン、（ｘｖｉｉ）９’アントラセンカルボニトリル、及び（ｘｖｉｉｉ）アントラキノンから成る群に由来し、かつ／あるいは（ｃ）試薬イオンもしくは負の電荷を持つイオンが、アゾベンゼン陰イオンまたはアゾベンゼンラジカル陰イオンを含む。
【００４２】
電子移動解離断片化のプロセスは、分析物イオンを試薬イオンと相互作用させることを含み得、試薬イオンが、ジシアノベンゼン、４−ニトロトルエン、またはアズレン試薬イオンを含む。
【図面の簡単な説明】
【００４３】
【図１】本発明の一実施形態が、ほんの一例として、好ましい実施形態に従って質量分析計の概略図を示す図１を参照してここで説明される。
【発明を実施するための形態】
【００４４】
本発明の好ましい実施形態が、図１を参照してここで説明される。図１は、本発明の好ましい実施形態に従って質量分析計の概略図を示す。本質量分析計は、イオン源２、四重極ロッドセット４、イオンガイド６、イオン移動度分離器（ＩＭＳ）８、移動セル１０、反応セル１２、バイパスセル１４、及び飛行時間（ＴＯＦ）質量分析器１６を備える。本質量分析計は、前駆分析物イオンのイオン移動度に従って分離された前駆分析物イオンで電子移動解離（ＥＴＤ）反応を実施するように構成される。
【００４５】
前駆分析物イオン及び試薬イオンは、イオン源２内で生成される。前駆イオン及び試薬イオンは、下流に方向付けられて四重極ロッドセット４に入る。四重極ロッド４に印加される電圧に基づいて、ロッドセット４によってどれだけの質量と電荷との比率を伝達するかを選択する。初期に、四重極ロッドセット４に印加される電圧は、試薬イオンのみが伝達されるような電圧である。その後、試薬イオンは、下流に続いて流れてイオンガイド６に入る。その後、四重極ロッドセット４に印加される電圧は、ロッドセット４が前駆分析物イオンを伝達し、試薬イオンを排除するように、変更される。これらの前駆イオンは、下流に伝達されてイオンガイド６に入る。四重極ロッドセット４は、イオンガイド６に試薬イオン及び前駆分析物イオンを交互に伝達するように、繰り返して互い違いにされてもよい。
【００４６】
試薬イオン及び前駆イオンは、試薬イオンのパケットと前駆イオンのパケットとの間にポテンシャル障壁を適用することによってイオンガイド６に別個に維持することができる。ポテンシャル障壁を、好ましくは、イオンガイド６を通して試薬イオンを移動させるように入口から出口に向かってイオンガイド６の軸長に沿って移動させる。別のポテンシャル障壁は、前駆イオンの後ろに適用されてもよく、そのポテンシャル障壁を、イオンガイド６の出口に向かって前駆イオンを促進させるように、イオンガイド６に沿って移動させてもよい。その後、四重極ロッドセット４を、前に伝達された前駆イオンに試薬イオンの別のパケットまたは異なる質量と電荷との比率の前駆分析物イオンのパケットを伝達するように、制御することができる。その後、試薬イオンまたは前駆イオンのこのパケットは、前駆イオンの第１のパケットの後ろのイオンガイド６において受け取られ、前駆イオンの第１のパケットの後ろのポテンシャル障壁によってこれらのイオンから分離された状態で残る。ポテンシャル障壁は、イオンガイド６の入口で周期的に生成することができ、各障壁は、イオンガイド６の出口に向かって運搬される。これは、イオンのパケットが四重極ロッドセット４から連続して受け取られることを可能にするが、ここで、イオンの各パケットが、生成される最新のポテンシャル障壁の後ろで受け取られ、イオンの各パケットが、隣接するポテンシャル障壁間に捕捉されることになり、イオンガイド６の出口に向かって運搬されることになる。
【００４７】
イオンガイド６は、ＩＭＳデバイス８内に前駆分析物イオンを伝達し、バイパスセル１４内に試薬イオンを伝達するように制御される。これは、イオンガイド６に印加される電圧を制御することによって達成することができる。上述の通り、試薬イオンは、隣接するポテンシャル障壁間に運搬されることによってイオンガイド６を通して伝達される。これらの試薬イオンがイオンガイド６の所望の軸位置に存在するとき、試薬イオンの移動の方向から試薬イオンを直角に放出させてバイパスセル１４内に入れるように、電圧は、イオンガイドの電極及び／またはバイパスセル１４の電極に印加される。バイパスセル１４は、比較的低圧で維持され、好ましくは、不活性ガス（例えば１０−２ｍＢａｒのヘリウムガス）を含有する。試薬イオンは、バイパスセル１４の長さに沿って移動を続け、その後、反応セル１２内に入る。試薬イオンは、入口領域から出口領域にバイパスセル１４に沿って運搬される１つ以上のポテンシャル障壁によってバイパスセル１４に沿って促進され、反応セル１２内に入る。その後、試薬イオンは、反応セル１２内に導入され得る任意の前駆分析物イオンと反応するために、反応セル１２内に滞留する。
【００４８】
イオンガイド６の前駆イオンは、バイパスセル１４内には放出されないが、前駆イオンのパケットを誘導しているポテンシャル障壁が下がる地点であるイオンガイド６の端部まで続いて流れ、前駆イオンは、ＩＭＳデバイス８内に解放される。ＩＭＳデバイス８は、バイパスセル１４と比較すると、比較的高圧で存在し得、前駆イオンは、ＩＭＳデバイス８内のガスを通って運ばれなければならない。これは、入口から出口までＩＭＳデバイス８の軸長に沿ってポテンシャル障壁を運搬することによって達成することができる。ポテンシャル障壁は、好ましくは、ＩＭＳデバイス８を通して前駆イオンを一掃するようにＩＭＳデバイス８に沿って周期的に運搬される。イオンは、ＩＭＳデバイス８のガスを通して一掃されると、ガス分子と相互作用し、ガスを通してイオンの移動度に従って分離されるようになる。したがって、高イオン移動度のイオンは、ガスを通過してＩＭＳデバイス８を比較的迅速に出るが、低イオン移動度のイオンは、ガスを通過してＩＭＳデバイス８を比較的緩徐に出る。
【００４９】
対象とする前駆分析物イオンを、試薬イオンとのＥＴＤ反応に供することが望ましい。上述の通り、前駆イオンのイオン移動度は、ＩＭＳデバイス８を通るその移動時間に関連している。したがって、対象とするイオン移動度を有する前駆イオンは、前駆イオンがＩＭＳデバイス８を出る時間に従って選択されてもよい。前駆イオンは、ＩＭＳデバイス８を出て、移動セル１０に入る。その後、対象とする前駆イオンは、移動セル１０から反応セル１２内に入る。これは、移動セル１０及び／または反応セル１２に電圧を印加することによって達成することができる。
【００５０】
反応セル１２に入る前駆イオンは、反応セル１２に存在する試薬イオンと相互作用し、ＥＴＤ反応の結果として生成イオン内に解離する。得られる生成イオンは、反応セル１２に沿って方向付けられてもよく、その後、反応セル１２及び／または移動セル１０に電圧を印加することによって移動セル１０内に戻るように方向付けられる。その後、生成イオンは、質量分析のためにＴＯＦ質量分析器１６内に方向付けされ得る。
【００５１】
好ましい実施形態は、試薬イオンがＩＭＳデバイス８を迂回している間に、前駆イオンがＩＭＳデバイス８を通過できるようにする。これは、試薬イオンの不要な断片化を別途もたらし得るＩＭＳデバイス８の高圧領域に供されることなく、試薬イオンがイオン源２から反応領域１２まで通過できるようにする。
【００５２】
本発明は、好ましい実施形態を参照して説明されたが、形態及び詳細の様々な変更が、添付の特許請求の範囲に規定されるような発明の範囲から逸脱すること無くなされてもよいことが、当業者によって理解されるであろう。
【００５３】
例えば、単一の反応セル１２の代わりに、複数の異なる反応セルが、ＩＭＳデバイス８及びバイパスセル１４の下流に配置されてもよい。試薬イオンは、バイパスセル１４からの反応セルに供給されてもよく、ＩＭＳデバイス８を出ている異なるイオン移動度の前駆イオンは、前駆イオンと反応して生成イオンを生成するように、反応セルのうちの異なる反応セル内に方向付けられてもよい。これは、いくつかの種の前駆イオンが平行して別個に反応できるように、感度の点で有利である。
【００５４】
標準ドリフト管技術がＩＭＳデバイス８に適用され得ることが企図される。
【００５５】
ＥＴＤ断片化が説明されたが、光断片化または励起もしくは他のイオン分子またはイオン−イオン反応が反応セル（複数可）１２において誘起され得ることも企図される。例えば、衝突誘起解離（ＣＩＤ）は、反応セル（複数可）１２において誘起され得る。これは、例えば、ＥＴＤ反応（または他の反応）後に完全に解離される際に前駆イオンを補助するために有用であり得る。
【００５６】
前駆分析物イオンは、イオンガイド６及びＩＭＳデバイス８を通して反応セル１２に伝達されると説明されたが、前駆イオンが反応セル１２に到達する前に反応するか、または断片化されて、生成または断片イオンを生成し、その後、これらの生成または断片イオンが上述の反応セル１２内で断片化または反応に供され得ることが企図される。前駆イオンは、ＣＩＤ、ＥＴＤ、ＥＣＤ、ＳＩＤ（表面誘起解離）、または光断片化技術などの任意のプロセスによって断片化され得るか、または反応し得る。例えば、前駆イオンは、イオンガイド６内に捕捉され、断片化または反応に供されてもよい。その後、得られた生成または断片イオンは、反応セル１２内での後続のＥＴＤ（イオン−イオン）反応のためにＩＭＳデバイス８において分離されてもよい。
【００５７】
四重極４を使用して、イオン源２から直接イオンをその濾過するよりも、ＩＭＳ−Ｑ（ＴＯＦ）配列から溶離するイオンを質量選択することができることが企図される。
【００５８】
別の更なる動作モードで、前駆イオンがＩＭＳデバイス８を迂回し、その後、前駆イオンのイオン移動度に従って分離されることなくＴＯＦ質量分析器１６に方向付けされ得ることも企図される。その後、ＴＯＦ検出器を使用して、どのイオンが（例えばＤＤＡ、ＨＤＭＳ＾ｅ技術を実施するために）ＩＭＳデバイス８において分析に供されるかを決定することができる。
【００５９】
イオンガイド６及びバイパスセル１４は、イオンガイド６からバイパスセル１４まで試薬イオンを伝達するためのステップウェーブ（ＳｔｅｐＷａｖｅ）構成体を有してもよい。移動セル１０及び反応セル１２は、反応セル１２内に前駆イオンを伝達するため、及び反応セル１２から移動セル１０に前駆イオンまたは生成イオンを移動させるためのステップウェーブ構成体を有してもよい。代替としては、ステップウェーブデバイスよりも「エントウィッスルサンドイッチプレート（Ｅｎｔｗｉｓｔｌｅ  ｓａｎｄｗｉｃｈ  ｐｌａｔｅ）」ガイドを使用して、イオンビームを方向転換することができる。
【００６０】
反応セル１２が質量選択性機能を有する四重極または線形イオンガイドである可能性も企図される。
【符号の説明】
【００６１】
２・・・イオン源、４・・・四重極ロッドセット、６・・・イオンガイド、８・・・イオン移動度分離器（ＩＭＳ）、１０・・・移動セル、１２・・・反応セル、１４・・・バイパスセル、１６・・・飛行時間（ＴＯＦ）質量分析器。
【図１】
2016526169.tif 000003
【国際調査報告】
2016526169.tif 000004
2016526169.tif 000005
2016526169.tif 000006